(57)【要約】【課題】発光装置の発光が安定した状態で露光可能な撮像装置及びその制御方法、並びにプログラムを提供する。【解決手段】撮像装置１００は、発光時間情報に示される発光時間と発光量との関係から定まる閾値と、算出された目標発光量とを比較し、その比較の結果、目標発光量が閾値以下のときは、ストロボを発光した後に撮像素子の露光を開始し、目標発光量が閾値より大きいときは、撮像素子の露光を開始した後に、ストロボを発光するようにストロボ及び撮像素子を制御する。【選択図】図４
2013148777.tif 000002
【特許請求の範囲】
【請求項１】
被写体に対して発光する発光装置を用いた撮像が可能な撮像装置であって、
前記被写体を撮像する撮像素子と、
前記発光装置の発光時間と発光量との関係を示す発光時間情報を取得する取得手段と、
撮像時の前記発光装置の目標発光量を算出する算出手段と、
前記取得手段により取得された発光時間情報に示される発光時間と発光量との関係から定まる閾値と、前記算出手段により算出された目標発光量とを比較する比較手段と、
前記比較手段による比較の結果、前記目標発光量が前記閾値以下のときは、前記発光装置を発光した後に前記撮像素子の露光を開始し、前記目標発光量が前記閾値より大きいときは、前記撮像素子の露光を開始した後に、前記発光装置を発光するように前記発光装置及び前記撮像素子の少なくとも一方を制御する制御手段と
を備えたことを特徴とする撮像装置。
【請求項２】
前記発光装置を発光させるためのコンデンサへの充電電圧を、撮像に関する予め定められた条件を満たすときは、前記条件を満たさないときと比較して、低い電圧とすることを特徴とする請求項１記載の撮像装置。
【請求項３】
前記条件は、前記被写体を接写するという条件、前記被写体における主被写体と背景との距離が予め定められた閾値以上という条件、前記発光装置の発光による光の色温度と被写体における外光の色温度とが異なるという条件のうちの少なくとも１つの条件であることを特徴とする請求項２記載の撮像装置。
【請求項４】
被写体に対して発光する発光装置を用いた撮像が可能な撮像装置であって、
前記被写体を撮像する撮像素子と、
前記発光装置を発光させるためのコンデンサの電気エネルギーと発光量との関係を示すコンデンサ情報を取得する取得手段と、
撮像時の前記発光装置の目標発光量を算出する第１算出手段と、
前記第１算出手段により算出された目標発光量に達する前記コンデンサの電圧である設定電圧を、前記取得手段により取得されたコンデンサ情報に示される電気エネルギーと発光量との関係から算出する第２算出手段と、
前記発光装置を発光させ、前記コンデンサの電圧が前記設定電圧となったときに、前記撮像素子の露光を開始するように前記発光装置及び前記撮像素子の少なくとも一方を制御する制御手段と
を備えたことを特徴とする撮像装置。
【請求項５】
被写体に対して発光する発光装置を用いた撮像が可能であって、前記被写体を撮像する撮像素子を有する撮像装置の制御方法であって、
前記発光装置の発光時間と発光量との関係を示す発光時間情報を取得する取得ステップと、
撮像時の前記発光装置の目標発光量を算出する算出ステップと、
前記取得ステップにより取得された発光時間情報に示される発光時間と発光量との関係から定まる閾値と、前記算出ステップにより算出された目標発光量とを比較する比較ステップと、
前記比較ステップによる比較の結果、前記目標発光量が前記閾値以下のときは、前記発光装置を発光した後に前記撮像素子の露光を開始し、前記目標発光量が前記閾値より大きいときは、前記撮像素子の露光を開始した後に、前記発光装置を発光するように前記発光装置及び前記撮像素子の少なくとも一方を制御する制御ステップと
を備えたことを特徴とする制御方法。
【請求項６】
被写体に対して発光する発光装置を用いた撮像が可能であって、前記被写体を撮像する撮像素子を有する撮像装置の制御方法であって、
前記発光装置を発光させるためのコンデンサの電気エネルギーと発光量との関係を示すコンデンサ情報を取得する取得ステップと、
撮像時の前記発光装置の目標発光量を算出する第１算出ステップと、
前記第１算出ステップにより算出された目標発光量に達する前記コンデンサの電圧である設定電圧を、前記取得ステップにより取得されたコンデンサ情報に示される電気エネルギーと発光量との関係から算出する第２算出ステップと、
前記発光装置を発光させ、前記コンデンサの電圧が前記設定電圧となったときに、前記撮像素子の露光を開始するように前記発光装置及び前記撮像素子の少なくとも一方を制御する制御ステップと
を備えたことを特徴とする制御方法。
【請求項７】
被写体に対して発光する発光装置を用いた撮像が可能であって、前記被写体を撮像する撮像素子を有する撮像装置の制御方法をコンピュータに実行させるためのプログラムであって、
前記制御方法は、
前記発光装置の発光時間と発光量との関係を示す発光時間情報を取得する取得ステップと、
撮像時の前記発光装置の目標発光量を算出する算出ステップと、
前記取得ステップにより取得された発光時間情報に示される発光時間と発光量との関係から定まる閾値と、前記算出ステップにより算出された目標発光量とを比較する比較ステップと、
前記比較ステップによる比較の結果、前記目標発光量が前記閾値以下のときは、前記発光装置を発光した後に前記撮像素子の露光を開始し、前記目標発光量が前記閾値より大きいときは、前記撮像素子の露光を開始した後に、前記発光装置を発光するように前記発光装置及び前記撮像素子の少なくとも一方を制御する制御ステップと
を備えたことを特徴とするプログラム。
【請求項８】
被写体に対して発光する発光装置を用いた撮像が可能であって、前記被写体を撮像する撮像素子を有する撮像装置の制御方法をコンピュータに実行させるためのプログラムであって、
前記制御方法は、
前記発光装置を発光させるためのコンデンサの電気エネルギーと発光量との関係を示すコンデンサ情報を取得する取得ステップと、
撮像時の前記発光装置の目標発光量を算出する第１算出ステップと、
前記第１算出ステップにより算出された目標発光量に達する前記コンデンサの電圧である設定電圧を、前記取得ステップにより取得されたコンデンサ情報に示される電気エネルギーと発光量との関係から算出する第２算出ステップと、
前記発光装置を発光させ、前記コンデンサの電圧が前記設定電圧となったときに、前記撮像素子の露光を開始するように前記発光装置及び前記撮像素子の少なくとも一方を制御する制御ステップと
を備えたことを特徴とするプログラム。
【発明の詳細な説明】
【技術分野】
【０００１】
本発明は、撮像装置及びその制御方法、並びにプログラムに関する。
【背景技術】
【０００２】
一般にデジタルカメラ、デジタルビデオカメラなどの撮像装置に備わる発光装置としてのストロボにおいて、キセノン管などの閃光放電管の発光強度は、発光開始から急激に増大し、１０〜３０μｓｅｃ程度の短い時間後にピークを迎え、その後は急激に減少する。
【０００３】
この発光特性は、使用している部品（例えばキセノン管、メインコンデンサ、ＩＧＢＴ等、トリガコイル）により若干異なるが、概して１０〜３０μｓｅｃにピークを持ち、フラットな特性とはならない。
【０００４】
また上記のストロボにおいては、温度等による上記の部品の特性のばらつきにより、立ち上がりの傾きが変わり、発光開始点が数μｓｅｃ程度変化する。この現象は発光毎に起こり、結果としてストロボ光がばらついてしまう。
【０００５】
特に、短い時間に発光にピークを持つため、発光時間が１００μｓｅｃ以下の短い時間になればなるほどストロボ光がばらつき、結果として露出アンダーや露出オーバーとなる撮像画像が得られてしまう。
【０００６】
ストロボ光の特性カーブにより、このばらつきは発光時間が長くなればなるほど安定する。
【０００７】
従来の撮像装置において、ストロボ撮像を行う場合、通常は撮像を開始（露光開始）した以降にストロボの発光を開始することが一般的であるが、上述した短い時間での発光ばらつきの対策のために、以下の技術が開示されている。
【０００８】
すなわち、ストロボ発光が開始されてから、ある期間経過後の時点で撮像を開始したり、受光装置の受光量が所定量以上になったときに撮像を開始したりする制御手段を備えた技術が開示されている（例えば、特許文献１参照）。
【先行技術文献】
【特許文献】
【０００９】
【特許文献１】特許第４２１７３４２号公報
【発明の概要】
【発明が解決しようとする課題】
【００１０】
しかしながら、上述の特許文献に開示された技術では、毎ストロボ発光後に撮像が開始される制御のため、実際にストロボは光っているものの撮像に利用されるストロボ光はごく限られており、露出アンダーとなることがある。
【００１１】
また、撮像が開始される前のストロボ光は撮像に利用されないため、無駄に光らせているということともなり、メインコンデンサに充電された電気エネルギーが効率よく利用されていない。
【００１２】
また、ストロボ光を受光する受光装置を有していない撮像装置においては、露光タイミングを決定することができない。
【００１３】
そこで、本発明の目的は、発光装置の発光が安定した状態で露光可能な撮像装置及びその制御方法、並びにプログラムを提供することにある。
【課題を解決するための手段】
【００１４】
上記目的を達成するために、請求項１の撮像装置は、被写体に対して発光する発光装置を用いた撮像が可能な撮像装置であって、前記被写体を撮像する撮像素子と、前記発光装置の発光時間と発光量との関係を示す発光時間情報を取得する取得手段と、撮像時の前記発光装置の目標発光量を算出する算出手段と、前記取得手段により取得された発光時間情報に示される発光時間と発光量との関係から定まる閾値と、前記算出手段により算出された目標発光量とを比較する比較手段と、前記比較手段による比較の結果、前記目標発光量が前記閾値以下のときは、前記発光装置を発光した後に前記撮像素子の露光を開始し、前記目標発光量が前記閾値より大きいときは、前記撮像素子の露光を開始した後に、前記発光装置を発光するように前記発光装置及び前記撮像素子の少なくとも一方を制御する制御手段とを備えたことを特徴とする。
【発明の効果】
【００１５】
本発明によれば、発光装置の発光が安定した状態で露光可能な撮像装置及びその制御方法、並びにプログラムを提供できる。
【図面の簡単な説明】
【００１６】
【図１】本発明の実施の形態に係る撮像装置の概略構成を示す図である。
【図２】図１におけるストロボの発光量及び時間の関係を示す図である。
【図３】図１における不揮発性メモリに記憶された発光テーブルを示す図である。
【図４】図１におけるシステム制御回路により実行される撮像処理の手順を示すフローチャートである。
【図５】第２の実施の形態における処理内容を説明するためのタイミングチャートである。
【図６】図１におけるシステム制御回路により実行される撮像処理の手順を示すフローチャートである。
【図７】図１におけるシステム制御回路により実行される充電電圧制御処理の手順を示すフローチャートである。
【発明を実施するための形態】
【００１７】
以下、本発明の実施の形態について図面を参照しながら詳述する。
【００１８】
図１は、本発明の実施の形態に係る撮像装置１００の概略構成を示す図である。
【００１９】
図１において、撮像装置１００は、撮像レンズ１０１、絞り機能を備えるシャッター１０２、光学像を電気信号に変換することで被写体を撮像する撮像素子１０３、撮像素子１０３のアナログ信号出力をデジタル信号に変換するＡ／Ｄ変換器１０４を備える。
【００２０】
また、撮像素子制御回路１０５は、撮像素子１０３、Ａ／Ｄ変換器１０４にクロック信号や制御信号を供給し、システム制御回路１０７により制御される。
【００２１】
画像処理回路１０６は、Ａ／Ｄ変換器１０４からのデータ、またはシステム制御回路１０７からのデータに対して、画素補間処理や色変換処理を行う。
【００２２】
メモリ１０８は撮像した画像を格納するものであり、所定枚数の静止画像や所定時間の動画像を格納するのに十分な記憶量を備えている。また、画像処理回路１０６やシステム制御回路１０７の作業領域としても使用することが可能である。
【００２３】
システム制御回路１０７は、ＣＰＵなどを含んでおり、撮像装置１００全体を制御する。不揮発性メモリ１０９（記憶手段）は、システム制御回路１０７の動作用の定数、変数、プログラム等が記憶されている。
【００２４】
被写体検知回路１１２は、人物、動物、特定の物体、または動体など特定の被写体を検知する回路である。
【００２５】
この被写体検知回路１１２は、画像処理回路１０６で画像処理されたスルー画像や、図示しない各種記憶媒体に含まれる画像から、被写体の特徴を検出し、検出した特徴パターンを識別することで特定の被写体を認識する。
【００２６】
特に人物や動物などを認識すると、その被写体を囲う領域枠を生成し、その情報をシステム制御回路１０７に送信する。
【００２７】
レンズ制御部１１０は、撮像レンズ１０１のフォーカシングならびにズーミングを制御する。また、露光制御部１１１は絞り機能を備えるシャッター１０２を制御する。
【００２８】
スイッチ１１４は、撮像装置１００に備え付けられているスイッチ全般を表している。このスイッチ１１４として、電源スイッチ、レリーズボタン、ズームレバー、モードスイッチ、十字ボタン、ファンクション／セットボタン、ディスプレイボタン、メニューボタン、ショートカットボタンがある。
【００２９】
表示部１１３は、液晶パネルや有機ＥＬパネルを用いて撮像した画像などの表示を行う。
【００３０】
発光装置としてのストロボ２００は、キセノン管などで構成された発光管２０１や、ストロボ２００の充電・発光制御回路２０２で構成される。さらに、ストロボ２００は、不図示の充電・発光制御回路２０２は、充電用トランス、充電制御ＩＣ、メインコンデンサ、トリガコイル、ＩＧＢＴなどで構成される。
【００３１】
図２は、図１におけるストロボ２００の発光量及び時間の関係を示す図である。
【００３２】
図２において、横軸が時間、縦軸が発光量を示している。図２に示されるように、発光量は、発光開始から急激に増大し、ｔｐｅａｋに示される１０〜３０μｓｅｃ程度経過後にピークを迎え、その後は急激に減少する。
【００３３】
この発光特性は、使用している部品（例えばキセノン管、メインコンデンサ、ＩＧＢＴ等、トリガコイル）により若干異なるが、概して１０〜３０μｓｅｃにピークを持つ。
【００３４】
以下、図１に示された構成における３つの実施の形態について説明する。
【００３５】
［第１の実施の形態］
図３は、図１における不揮発性メモリ１０９に記憶された発光テーブルを示す図である。
【００３６】
図３において、発光テーブルは、ストロボ２００の発光時間と発光量との関係を示す発光時間情報である。例えば６０〜７０μｓｅｃの間における発光量は９５０である。また、例えば６０〜８０μｓｅｃの間における発光量は、６０〜７０μｓｅｃの間における発光量９５０と７０〜８０μｓｅｃの間における発光量９００の和である１８５０となる。
【００３７】
この発光テーブルは、予め実験などにより得られた数値をもとに作成され、例えば工場で組み立て時に設定されたものである。
【００３８】
図４は、図１におけるシステム制御回路１０７により実行される撮像処理の手順を示すフローチャートである。なお、以下の撮像処理は、例えばスイッチ１１４に含まれるレリーズボタンが操作されたことに応じて開始される。
【００３９】
図４において、まずストロボ２００へプリ発光制御信号を出力し、充電・発光制御回路２０２を介して、発光管２０１を発光させる（ステップＳ１０１）。このとき、撮像を行い（ステップＳ１０２）、撮像された画像に対して画像処理回路１０６が画像処理を行い（ステップＳ１０３）、画像の輝度値を算出する。
【００４０】
次いで、算出された輝度値から、システム制御回路１０７は本発光時、すなわち撮像時の目標発光量を算出する（ステップＳ１０４）。このステップＳ１０４は、撮像時のストロボの目標発光量を算出する算出手段に対応する。なお、プリ発光を行って撮像時の目標発光量を算出する方法は、公知の方法であるため詳細は省略する。例えば、画像の輝度値を算出する際に画像を複数の領域に分割してそれぞれで輝度値を算出し、それぞれの輝度値に対して所定のアルゴリズムで決定された重み付けをつけて最終的な輝度値を算出するようにすればよい。また、プリ発光を行って撮像した画像の輝度値だけではなく、発光を行わずに撮像した画像の輝度値も算出し、それらの輝度値を比較して目標発光量を算出すてもよい。
【００４１】
そして、算出された目標発光量が、予め定められた閾値以下か否か判別する（ステップＳ１０５）。このステップＳ１０５は、発光時間情報に示される発光時間と発光量との関係から定まる閾値と、算出された目標発光量とを比較する比較手段に対応する。予め定められた閾値として、例えば図３で示した発光テーブルにおける５０μｓｅｃ以降の発光量の和が挙げられる。なお、図３に示した発光テーブルをこのステップＳ１０５において不揮発性メモリ１０９から取得してもよいし、本撮像処理が開始される前に取得していてもよい。
【００４２】
ステップＳ１０５の判別の結果、目標発光量が、予め定められた閾値以下のとき（ステップＳ１０５でＹＥＳ）、発光後に露光を開始しても十分なストロボの発光量が得られるため、発光を開始した（ステップＳ１０６）後に露光を開始する（ステップＳ１０７）。
【００４３】
この露光は、目標発光量に等しくなるように、発光テーブルを用いて得られたタイミングで開始される。例えば、目標発光量が２８５０であれば、発光終了時点までの発光量が２８５０となる露光開始タイミングを図３から求めて、露光を開始させる。
【００４４】
一方、ステップＳ１０５の判別の結果、目標発光量が、予め定められた閾値より大きいとき（ステップＳ１０５でＮＯ）、ストロボ２００の発光開始後の露光では十分なストロボ２００による発光量が得られない。
【００４５】
そこで、露光開始し（ステップＳ１０８）、その後、発光を開始し（ステップＳ１０９）、ステップＳ１１０に進む。
【００４６】
次いで、発光を終了し（ステップＳ１１０）、露光を終了する（ステップＳ１１１）。これにより得られた画像に対し、画像処理を行い（ステップＳ１１２）、画像をメモリ１０８または不揮発性メモリ１０９に記憶し（ステップＳ１１３）、本処理を終了する。
【００４７】
なお、以上説明した図４の撮像処理において、ステップＳ１１０の発光終了とステップＳ１１１の露光終了は順序が逆でも問題ない。なお、発光終了の前に露光終了する場合、露光開始から露光終了までの発光量が目標発光量と一致するように、露光開始タイミングを設定する必要が生じる。
【００４８】
また、ステップＳ１０５における予め定められた閾値において、５０μｓｅｃ以降の発光量の和としたが、特にどの期間の和をとっても構わない。一般的なストロボにおいては、発光時間が遅くなればなるほど発光量のばらつきは小さくなるため、よりばらつきの少ないストロボ２００による光を得るためには発光時間を長くしても問題ない。
【００４９】
上記ステップＳ１０６〜１０９は、制御手段に対応する。すなわち、ステップＳ１０６、１０７では、目標発光量が閾値以下のときは、ストロボ２００で発光した後に撮像素子の露光を開始している。また、ステップＳ１０８、１０９は、目標発光量が閾値より大きいときは、撮像素子の露光を開始した後に、ストロボ２００を発光している。その結果、ストロボの発光が安定した状態で露光可能となる。このステップＳ１０６〜１０９においては、ストロボ２００及び撮像素子１０３の少なくとも一方を制御すればよく、一方は所定のタイミングで動作を開始するように制御されていても構わない。
【００５０】
［第２の実施の形態］
図５は、第２の実施の形態における処理内容を説明するためのタイミングチャートである。
【００５１】
図５において、発光信号は、ストロボ２００の発光を制御する信号であり、オンのときはストロボ２００が発光し、オフのときはストロボ２００が消灯する。また、メインコンデンサの電圧は、発光するための電力を供給するコンデンサの電圧を示している。設定電圧は、本発光時の目標発光量に達するメインコンデンサの電圧を示しいている。露光は、オンのときに露光されていることを示している。
【００５２】
同図に示されるように、第２の実施の形態では、ｔ１で発光を開始し、メインコンデンサの電圧が設定電圧と等しくなるｔ２から露光を開始するようになっている。そして、ｔ３で発光を終了し、ｔ４で露光を終了する。
【００５３】
図６は、図１におけるシステム制御回路１０７により実行される撮像処理の手順を示すフローチャートである。
【００５４】
図６において、まずストロボ２００へプリ発光制御信号を出力し、充電・発光制御回路２０２を介して、発光管２０１を発光させる（ステップＳ２０１）。このとき、撮像を行い（ステップＳ２０２）、撮像された画像に対して画像処理回路１０６が画像処理を行い（ステップＳ２０３）、画像の輝度値を算出する。
【００５５】
次いで、算出された輝度値から、システム制御回路１０７は本発光時、すなわち撮像時の目標発光量を算出する（ステップＳ２０４）。このステップＳ２０４は、撮像時のストロボの目標発光量を算出する第１算出手段に対応する。
【００５６】
そして、算出された目標発光量に達するメインコンデンサの電圧である設定を算出することで、目標発光量を電圧に換算する（ステップＳ２０５）（第２算出手段）。ここでは、不揮発性メモリ１０９に記憶されているストロボ２００を発光させるためのメインコンデンサの電気エネルギーと発光量との関係（図示せず）を示すコンデンサ情報を用いて換算することで設定電圧を算出する。
【００５７】
そして、メインコンデンサの電圧（メインコン電圧）が設定電圧と等しくなると（ステップＳ２０７でＹＥＳ）（図５：ｔ２）、露光を開始する（ステップＳ２０８）。このステップＳ２０８は、コンデンサの電圧が設定電圧となったときに、撮像素子の露光を開始するようにストロボ及び撮像素子を制御する制御手段に対応する。
【００５８】
そして、発光を終了し（ステップＳ２０９）（図５：ｔ３）、露光を終了する（ステップＳ２１０）（図５：ｔ４）。
【００５９】
これにより得られた画像に対し、画像処理を行い（ステップＳ２１１）、画像をメモリ１０８または不揮発性メモリ１０９に記憶し（ステップＳ２１２）、本処理を終了する。
【００６０】
［第３の実施の形態］
第３の実施の形態では、ストロボ２００の発光に関し、３種類の制御方法がある。まず１つ目の制御方法は、被写体を接写するときの撮像モードであるマクロモードの際は、発光時間を長くすると露出オーバーの影響が大きくなるため、ストロボ２００による発光を微小時間に抑える。
【００６１】
２つ目の制御方法は、人物、動物などの主要被写体と被写体の背景にある一定以上の距離差がある場合、発光時間を長くすると被写体と背景の輝度差が顕著になるため、ストロボ２００による発光を微小時間に抑える。
【００６２】
３つ目の制御方法は、一般的にストロボ光は色温度が６０００Ｋ前後であるが、屋内等で用いられる白熱灯（Ａ光源）などの色温度は３０００Ｋ前後である。このような状態で、発光時間を長くすると実際の部屋の雰囲気とは異なる画像が得られてしまうので、ストロボ２００による微小時間に抑える。
【００６３】
いずれの制御方法も、「撮像モードがマクロモード」、「主要被写体と被写体の背景にある一定以上の距離差がある」、「被写体内の光源がＡ光源のとき」という条件を満足するときは発光時間を微小時間に抑える制御である。従って、３つの条件のうち、いずれか１つでも満たす場合は、発光時間を微小時間に抑える制御となる。そこで、第３の実施の形態では、充電電圧を制御するようになっている。
【００６４】
このように、ストロボ２００を発光させるためのコンデンサへの充電電圧を、撮像に関する予め定められた条件を満たすときは、条件を満たさないときと比較して、低い電圧とする。そして、上記条件は、被写体を接写するという条件、被写体における主被写体と背景との距離が予め定められた閾値以上という条件、ストロボ２００の発光による光の色温度と被写体における外光の色温度とが異なるという条件である。これら条件のうちの少なくとも１つの条件を満たす場合は、充電電圧を上記条件を満たさないときと比較して低い電圧とする。
【００６５】
図７は、図１におけるシステム制御回路１０７により実行される充電電圧制御処理の手順を示すフローチャートである。
【００６６】
図７において、撮像モードがマクロモードか否か判別する（ステップＳ３０１）。ステップＳ３０１の判別の結果、撮像モードがマクロモードでないときは（ステップＳ３０１でＮＯ）、ステップＳ３０２に進む。
【００６７】
一方、撮像モードがマクロモードのときは（ステップＳ３０１でＹＥＳ）、充電電圧として第１充電電圧を設定し（ステップＳ３０４）、本処理を終了する。なお、第１充電電圧は第２充電電圧よりも低い電圧である。
【００６８】
次いで、主要被写体と被写体の背景にある一定以上の距離差があるか否か判別する（ステップＳ３０２）。ここでは、一定以上の距離差を閾値として判別している。ステップＳ３０２の判別の結果、主要被写体と被写体の背景にある一定以上の距離差がないときは（ステップＳ３０２でＮＯ）、ステップＳ３０３に進む。
【００６９】
一方、主要被写体と被写体の背景にある一定以上の距離差があるときは（ステップＳ３０２でＹＥＳ）、上記ステップＳ３０４に進む。
【００７０】
次いで、被写体内の光源がＡ光源か否か判別する（ステップＳ３０３）。ステップＳ３０３の判別の結果、被写体内の光源がＡ光源ではないときは（ステップＳ３０３でＮＯ）、充電電圧として第２充電電圧を設定し（ステップＳ３０５）、本処理を終了する。
【００７１】
一方、被写体内の光源がＡ光源のときは（ステップＳ３０３でＹＥＳ）、上記ステップＳ３０４に進む。
【００７２】
ステップＳ３０４、Ｓ３０５以降のフローは、第１の実施の形態におけるステップＳ１０１以降と同じである。第１充電電圧に設定された場合は、メインコンデンサに充電する充電電圧を低くしているため、ストロボ２００による発光から露出開始までの無駄な発光を極力抑えることが可能である。
【００７３】
上述した３つの条件以外の条件であっても発光時間を抑える撮像する場合には、充電電圧を第１充電電圧に設定してもよい。
【００７４】
なお、上記の３つの実施の形態では、撮像装置１００に内蔵されているストロボ２００を発光させる場合について説明を行ったが、撮像装置に対して着脱可能な発光装置を発光させる場合にも本発明は適用可能である。
【００７５】
その場合、例えば、図３に示したような発光テーブルは、着脱可能な発光装置の種類に応じて不揮発性メモリ１０９に複数記憶されていてもよい。あるいは、着脱可能な発光装置が自身の発光テーブルを記憶していて、装着している発光装置と通信を行うことで装着している発光装置の発光テーブルを取得するようにしてもよい。
【００７６】
また、着脱可能な発光装置を撮像装置に装着して使用する場合だけではなく、撮像装置から離れた位置に配置して発光装置を使用する場合にも本発明は適用可能である。
【００７７】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７８】
１００  撮像装置
１０３  撮像素子
１０５  撮像素子制御回路
１０７  システム制御回路
１０８  メモリ
１０９  不揮発性メモリ
１１０  レンズ制御部
１１２  被写体検知回路
２００  ストロボ
２０１  発光管
２０２  充電・発光制御回路
【図１】
2013148777.tif 000003
【図２】
2013148777.tif 000004
【図３】
2013148777.tif 000005
【図４】
2013148777.tif 000006
【図５】
2013148777.tif 000007
【図６】
2013148777.tif 000008
【図７】
2013148777.tif 000009